(57)【要約】【課題】  簡易な構成によって屋根自体を太陽の直射日光から保護すると共に、冷却することによって、屋根が高温となるのを防止せんとする。【解決手段】  透孔９が散在して形成されているシート２を、屋根面上に、屋根１と隙間をおいて張設したことを特徴とする。また、凹凸１１、１２が一定方向に形成された屋根１面上にシート２を被設し、凹条１１とシート２との空間に通風路１４を形成し、この通風路１４上のシート部に透孔９を設けた。【選択図】  図５
2007077621.tif 000002
【特許請求の範囲】
【請求項１】
透孔が散在して形成されているシートを、屋根面上に、屋根と隙間をおいて張設したことを特徴とする屋根。  
【請求項２】
凹凸条が一定方向に形成された屋根面上にシートを被設して、凹条とシートとの空間に通風路を形成し、この通風路上のシート部に透孔を設けたことを特徴とする屋根。  
【請求項３】
折版で凹凸面が形成された屋根である請求項２記載の屋根。
【請求項４】
シートが屋根の凹凸条方向の端部を除いた内方から被設してあることを特徴とする請求項２又は３記載の屋根。
【請求項５】
一つの連続した通風路上のシート部には複数の透孔が設けられていることを特徴とする請求項２乃至４記載のいずれか1項記載の屋根。
【請求項６】
シートが日除けシートであることを特徴とする請求項1乃至５記載のいずれか1項記載の屋根。
【発明の詳細な説明】
【技術分野】
【０００１】
本発明は屋根に関するものであり、詳しくは屋根を形成する部材が直射日光によって高温となるのを防止し、屋内への影響を無くす屋根に関するものである。
【背景技術】
【０００２】
従来の屋根に関するこの種の防止手段としては、屋根裏の空間を換気して屋根からの影響を絶たんとするものがあり、また、屋根自体を断熱構造としたりして、屋根からの温度の上昇を防いでいるのである。
【特許文献１】特開２００３−１８４２１６公報
【特許文献２】特開２００３−８０７７２公報
【発明の開示】
【発明が解決しようとする課題】
【０００３】
屋根裏の空間を換気したり、屋根を断熱構造とする上記従来の方法は、その効果は期待されるけれど、潤沢な経費が必要であり、例えば工場、倉庫や車庫等の場合に応用することは構造上無理があり、特に瓦棒葺や折版を利用した金属製屋根の場合には太陽の直射日光で相当な高熱となって屋内に影響するのである。
【０００４】
そこで、本発明は簡易な構成によって屋根自体を太陽の直射日光から保護すると共に、冷却することによって、屋根が高温となるのを防止せんとするものである。
【課題を解決するための手段】
【０００５】
本発明の屋根は、透孔が散在して形成されているシートを、屋根面上に、屋根と隙間をおいて張設したことを特徴とするものである。
屋根の上面をシートで被覆するため直射日光の当るのを防ぎ、屋根とシートとの間に形成された空間内を風（空気）が透孔からも出入りして換気・空冷する作用、並びにシートの浮き上がりを抑制する作用も有するのである。
【０００６】
請求項２の屋根は、凹凸条が一定方向に形成された屋根面上にシートを被設して、凹条とシートとの空間に通風路を形成し、この通風路上のシート部に透孔を設けたことを特徴とするものである。
屋根の上面をシートで被覆するため直射日光の当るのを防ぎ、形成した通風路内を風（空気）が透孔から出入りして凹条部を換気、空冷する作用を奏し、シートの浮き上がりを抑制する作用も有するのである。
【０００７】
請求項３の発明は、折版で凹凸面が形成された屋根であり、簡易な屋根として広く利用されている金属性の折版に作用させるものである。
【０００８】
請求項４の発明は、シートが屋根の凹凸条方向の端部を除いた内方から被設してあることを特徴とするものであり、シートが被設してない屋根の凹条部の端部から風を出入りさせ、形成された通風路の換気作用と凹条部の空冷作用を促進させるものである。
【０００９】
請求項５の発明は、一つの連続した通風路上のシート部には複数の透孔が設けられていることを特徴とするものであり、風の出入り口を確実に確保する作用を有する。
【００１０】
請求項６の発明は、シートが日除けシートであることを特徴とするものであり、直射日光等の遮光・断熱作用を促すものとなる。
【発明の効果】
【００１１】
本発明の請求項１の屋根は、透孔が散在して形成されているシートを、屋根面上に、屋根と隙間をおいて張設したものであるため、屋根の上面を直射日光が照りつけて屋根が高温と成るのを防ぐ効果があり、屋根とシートとの間に形成された空間内を風（空気）が透孔からも出入りして換気して屋根を冷やす効果も期待でき、更にシートの浮き上がりを抑制しシートに溜まる雨水を透孔から排水する効果も有するのである。
斯かる作用効果を人為的又は機械的に行うもので無く、自然のままに行うものであって、ランニングコストを必要としない経済的効果も有するのである。
【００１２】
請求項２に係る屋根も、凹凸条が一定方向に形成された屋根面とし、その上にシートを被設し、凹条とシートとの空間に通風路を形成したため、被設したシート自体で屋根面への直射日光等の照りつけを防止する効果を有すると共に、通風路内を風が通ることによって、該路内の空気を換気して熱せられるのを防ぎ、且つ風の流通によって路内を冷やす空冷効果も得られるものである。
【００１３】
そして、請求項1と同様に、通風路上のシート部に透孔を設けてあるため、風はこの透孔から自由に出入りし風の流通作用を促進させ換気効果と空冷効果を高めるものとなり、更にシートの浮き上がりを防止し、シートに溜まる雨水の排水を促す効果もある。
斯かる作用効果を人為的又は機械的に行うもので無く、自然のままに行うものであって、ランニングコストを必要としない経済的効果も有するのである。
【００１４】
特に折版で凹凸面が形成された屋根は直射日光で高温となり易く、本発明の恩恵に浴するものであり、シートが屋根の凹凸条方向の端部を除いた内方から被設すれば、屋根の端部から風が形成された通風路へ確実に進入し、凹条部の空冷効果を一層高めるものである。
【００１５】
更に、一つの連続した通風路上のシート部には複数の透孔を設ければ、風の流通の出入り口を確実に確保して、換気・空冷効果を期待できるものであり、シートを日除けシートとすれば、直射日光等の遮光・断熱作用を高められ、屋根が高温と成るのを防止すものとなる。
【発明を実施するための最良の形態】
【００１６】
本発明の実施の形態を図面に基づいて説明する。
図１は本発明の一実施の形態を示す屋根の平面図、図２及び図３は要部断面図であり、屋根１にシート２を張設した構成となっている。
屋根１は平屋根の瓦棒葺屋根であって、葺き板３のつなぎ目のキャップ４に取り付けた雪止め用金具５のアングル６に、シート２の周囲に設けた取り付け孔７、７・・を利用して鉤１３、１３・・・に引っ掛け、シート２を屋根１の面から浮かし、隙間８をもうけて屋根１上に張設したものである。
また、シート２には透孔９、９・・が散設してある。
【００１７】
シート２により、屋根１は直接太陽光線が当たらずに遮断されるため、屋根１自体の温度上昇を防止できる。
そして、屋根１とシート2とに隙間８の空間が形成されており、シート２に透孔９、９・・が設けてあるため、空気が屋根１のシート２の端部や透孔９から出入りして流通するものであるから、隙間８の空間内の空気が換気されて高温となるのを防止できると共に、屋根１自体の空冷作用も行い、また、シート２が風等で浮き上がるのを防げるのである。
【００１８】
シート２は、各種織物布、ビニール布、ゴム素材等で引っ張り強さのあるものが望ましく、日除けシートと称する耐光・耐熱や防水などの各種加工を施したものや、寒冷紗を用いてもよい。
また、透孔９の形状及び大きさは任意なものを採択でき、散在の程度も太陽光が通過して屋根を高温化することと、換気流通との関係で適宜設計するものとなる。
【００１９】
図４は本発明の他の実施の形態を示す屋根の平面図、図５及び図６は要部断面図であり、屋根１にシート２を被設した構成となっている。
屋根１は陸屋根であって、図面上で上から下の方向へ緩く傾斜し折版１０で形成してあり、折版１０の凹条（谷部）１１と凸条（山部）１２も傾斜に沿って図面上で上下方向に配置されて形成している。
屋根１は凹凸状が形成されていればよく、形成するための手段・構成は折版の利用に限定されるものでなく、屋根の種類も問わない。
【００２０】
シート２は周囲に鳩目を当着して形成した取り付け孔７、７・・に対応して、屋根１の周端部に突設した鉤１３、１３・・・に引っ掛けて被設したものである。
また、屋根１の凹条１１と被設したシート２とで形成された通風路１４のシート部に透孔９、９・・が設けてある。
したがって、通風路１４内の空気がシート２の凹条の端部や透孔９から出入りして流通するものであるから、通風路１４内の空気が換気されて高温となるのを防止できると共に、通風路１４を形成する屋根１の凹条１１やシート２の空冷作用も行い、また、シート２が風等で浮き上がるのを防げるのである。
【００２１】
シート２の透孔９は、連続する一つの通風路１４に複数個設けることが好ましく、透孔９の形状は円形や四角形等の任意な形状を選択でき、大きさは通風路１４の幅を超えて形成するまでは必要無いけれど、風の出入りが速やかにできる大きさとする。
また、透孔９を多く設けすぎると、シート２の遮光・遮熱効果に影響を与えることとなる。
【００２２】
図７は、他の実施の形態を示す平面図であり、一平面状の屋根１の面に複数のシート２、２・・が互いに間隔１５を設けて被設してあり、この間隔１５を設けた部分から通風路１４への空気が出入りして流通できるようにしている。
【００２３】
図８は、他の実施の形態を示す平面図であり、シート２が屋根１の凹凸条１１、１２方向の端部１６を除いた内方から被設してあり、シート２が被設されていない端部１６から通風路１４への空気の進入が容易となるものである。
【００２４】
以上の説明は本発明の一実施の形態を示したものであり、同一の作用効果を得られる単なる設計の変更や常套手段による変形は本発明の実施態様に含まれるものである。  
【図面の簡単な説明】
【００２５】
【図１】本発明の一実施の形態を示す平面図である。
【図２】図１の要部断面図である。
【図３】図１の要部断面図である。
【図４】本発明の他の実施の形態を示す平面図である。
【図５】図４の要部断面図である。
【図６】図４の要部断面図である。
【図７】本発明の他の実施の形態を示す平面図である。
【図８】本発明の他の実施の形態を示す平面図である。
【符号の説明】
【００２６】
１  屋根
２  シート
３  葺き板
４  キャップ
５  雪止め用金具
６  アングル
７  取り付け孔
８  隙間
９  透孔
１０  折版
１１  凹条
１２  凸条
１３  鉤
１４  通風路
１５  間隔
１６  端部
【図１】
2007077621.tif 000003
【図２】
2007077621.tif 000004
【図３】
2007077621.tif 000005
【図４】
2007077621.tif 000006
【図５】
2007077621.tif 000007
【図６】
2007077621.tif 000008
【図７】
2007077621.tif 000009
【図８】
2007077621.tif 000010
【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
凹凸条が一定方向に形成された屋根の凸条面に近接してシートを被設し、凹条とシートとの空間に通風路を形成し、この通風路上のシート部に透孔を設け、該透孔から通風路の換気を可能とすると共に、シートの浮き上がりを防止したことを特徴とする屋根。
【請求項２】
折版で凹凸面が形成された屋根である請求項１記載の屋根。
【請求項３】
シートが屋根の凹凸条方向の端部を除いた内方から被設してあることを特徴とする請求項１又は２記載の屋根。
【請求項４】
一つの連続した通風路上のシート部には複数の透孔が設けられていることを特徴とする請求項１乃至３記載のいずれか1項記載の屋根。
【請求項５】
シートに耐光・耐熱・防水加工を施したことを特徴とする請求項1乃至４記載のいずれか1項記載の屋根。
【手続補正２】
【補正対象書類名】明細書
【補正対象項目名】全文
【補正方法】変更
【補正の内容】
【発明の詳細な説明】
【技術分野】
【０００１】
本発明は屋根に関するものであり、詳しくは屋根を形成する部材が直射日光によって高温となるのを防止し、屋内への影響を無くす屋根に関するものである。
【背景技術】
【０００２】
従来の屋根に関するこの種の防止手段としては、屋根裏の空間を換気して屋根からの影響を絶たんとするものがあり、また、屋根自体を断熱構造としたりして、屋根からの温度の上昇を防いでいるのである。
【特許文献１】特開２００３−１８４２１６公報
【特許文献２】特開２００３−８０７７２公報
【発明の開示】
【発明が解決しようとする課題】
【０００３】
屋根裏の空間を換気したり、屋根を断熱構造とする上記従来の方法は、その効果は期待されるけれど、潤沢な経費が必要であり、例えば工場、倉庫や車庫等の場合に応用することは構造上無理があり、特に瓦棒葺や折版を利用した金属製屋根の場合には太陽の直射日光で相当な高熱となって屋内に影響するのである。
【０００４】
そこで、本発明は簡易な構成によって、凹凸条を形成した屋根自体を太陽の直射日光から保護すると共に、冷却することによって、屋根が高温となるのを防止せんとするものである。
【課題を解決するための手段】
【０００５】
請求項１の屋根は、凹凸条が一定方向に形成された屋根の凸条面に近接してシートを被設し、凹条とシートとの空間に通風路を形成し、この通風路上のシート部に透孔を設け、該透孔から通風路の換気を可能とすると共に、シートの浮き上がりを防止したことを特徴とするものである。
屋根の上面をシートで被覆するため直射日光の当るのを防ぎ、形成した通風路内を風（空気）が透孔からも出入りして凹条部を換気、空冷する作用を奏し、シートの浮き上がりを抑制する作用も有するのである。
【０００６】
請求項２の発明は、折版で凹凸面が形成された屋根であり、簡易な屋根として広く利用されている金属性の折版に作用させるものである。
【０００７】
請求項３の発明は、シートが屋根の凹凸条方向の端部を除いた内方から被設してあることを特徴とするものであり、シートが被設してない屋根の凹条部の端部から風を出入りさせ、形成された通風路の換気作用と凹条部の空冷作用と、シートの浮き上がりの抑制を促進させるものである。
【０００８】
請求項４の発明は、一つの連続した通風路上のシート部には複数の透孔が設けられていることを特徴とするものであり、風の出入り口を確実に確保する作用を有する。
【０００９】
請求項５の発明は、シートに耐光・耐熱・防水加工を施したことを特徴とするものであり、直射日光等の遮光・断熱作用を促すものとなる。
【発明の効果】
【００１０】
請求項１に係る屋根は、凹凸条が一定方向に形成された屋根面とし、その凸条面に近接してシートを被設し、凹条とシートとの空間に通風路を形成したため、被設したシート自体で屋根面への直射日光等の照りつけを防止する効果を有すると共に、通風路内を風が通ることによって、該路内の空気を換気して熱せられるのを防ぎ、且つ風の流通によって路内を冷やす空冷効果も得られるものである。
【００１１】
そして、通風路上のシート部に透孔を設けてあるため、風はこの透孔から自由に出入りし風の流通作用を促進させ換気効果と空冷効果を高めるものとなり、更にシートの浮き上がりによるバタつきや破損を防止し、シートに溜まる雨水の排水を促す効果もある。
斯かる作用効果を人為的又は機械的に行うもので無く、自然のままに行うものであって、ランニングコストを必要としない経済的効果も有するのである。
【００１２】
特に折版で凹凸面が形成された屋根は直射日光で高温となり易く、本発明の恩恵に浴するものであり、シートが屋根の凹凸条方向の端部を除いた内方から被設すれば、屋根の端部から風が形成された通風路へ確実に進入し、凹条部の空冷効果を一層高めるものである。
【００１３】
更に、一つの連続した通風路上のシート部には複数の透孔を設ければ、風の流通の出入り口を確実に確保して、換気・空冷効果や浮き上がり抑制効果を期待できるものであり、シートに耐光・耐熱・防水加工を施したものとすれば、直射日光等の遮光・断熱作用を高められ、屋根が高温と成るのを防止すものとなり、防水効果も得られる。
【発明を実施するための最良の形態】
【００１４】
本発明の実施の形態を図面に基づいて説明する。
図１は本発明の一実施の形態を示す屋根の平面図、図２及び図３は要部断面図であり、屋根１にシート２を張設した構成となっている。
屋根１は陸屋根であって、図面上で上から下の方向へ緩く傾斜し折版１０で形成してあり、折版１０の凹条（谷部）１１と凸条（山部）１２も傾斜に沿って図面上で上下方向に配置されて形成している。
屋根１は凹凸状が形成されていればよく、形成するための手段・構成は折版の利用に限定されるものでなく、屋根の種類も問わない。
【００１５】
シート２は周囲に鳩目を当着して形成した取り付け孔７、７・・に対応して、屋根１の周端部に突設した鉤１３、１３・・・に引っ掛け、屋根１の凸条面に近接して被設したものである。
また、屋根１の凹条１１と被設したシート２とで形成された通風路１４のシート部に透孔９、９・・が設けてある。
したがって、通風路１４内の空気がシート２の凹条の端部や透孔９から出入りして流通するものであるから、通風路１４内の空気が換気されて高温となるのを防止できると共に、通風路１４を形成する屋根１の凹条１１やシート２の空冷作用も行い、また、風等に起因してシートの表裏間での圧力差でシート２が浮き上がりバタつくのを防げるのである。
【００１６】
シート２の透孔９は、連続する一つの通風路１４に複数個設けることが好ましく、透孔９の散在の程度も太陽光が通過して屋根を高温化することと、換気流通との関係で適宜設計するものとなる。
透孔９の形状は円形や四角形等の任意な形状を選択でき、大きさは通風路１４の幅を超えて形成するまでは必要無いけれど、風の出入りが速やかにできる大きさとする。
また、透孔９を多く設けすぎると、シート２の遮光・遮熱効果に影響を与えることとなる。
【００１７】
シート２は、各種織物布、ビニール布、ゴム素材等で引っ張り強さのあるものが望ましく、日除けシートと称する耐光・耐熱や防水などの各種加工を施したものや、寒冷紗を用いてもよい。
【００１８】
図４は、他の実施の形態を示す平面図であり、一平面状の屋根１の面に複数のシート２、２・・が互いに間隔１５を設けて被設してあり、この間隔１５を設けた部分から通風路１４への空気が出入りして流通できるようにしている。
【００１９】
図５は、他の実施の形態を示す平面図であり、シート２が屋根１の凹凸条１１、１２方向の端部１６を除いた内方から被設してあり、シート２が被設されていない端部１６から通風路１４への空気の進入が容易となるものである。
【００２０】
以上の説明は本発明の一実施の形態を示したものであり、同一の作用効果を得られる単なる設計の変更や常套手段による変形は本発明の実施態様に含まれるものである。
【図面の簡単な説明】
【００２１】
【図１】本発明の一実施の形態を示す平面図である。
【図２】図１の要部断面図である。
【図３】図１の要部断面図である。
【図４】本発明の他の実施の形態を示す平面図である。
【図５】本発明の他の実施の形態を示す平面図である。
【符号の説明】
【００２２】
１  屋根
２  シート
７  取り付け孔
９  透孔
１０  折版
１１  凹条
１２  凸条
１３  鉤
１４  通風路
１５  間隔
１６  端部
【手続補正３】
【補正対象書類名】図面
【補正対象項目名】全図
【補正方法】変更
【補正の内容】
【図１】
2007077621.tif 000011
【図２】
2007077621.tif 000012
【図３】
2007077621.tif 000013
【図４】
2007077621.tif 000014
【図５】
2007077621.tif 000015